(57)【要約】【課題】塞ぎ板を梁に固定するための作業が困難となることを抑制できる建物の柱梁接合部構造を提供する。【解決手段】鉄筋コンクリート造の柱１と鉄骨造の梁２とを備える建物は、Ｈ型鋼からなる梁２同士が交差するとともに梁２同士と柱１とが交差する柱梁接合部３を備える。梁２のウェブ２ａ及びフランジ２ｂの厚さ方向の側面における柱１の外側面に対応する部分には、上下方向に延びる板状のスチフナ４が溶接される。また、交差する梁２同士で挟まれる部分であって柱１の外側面に対応する部分にはそれぞれスチフナ４に連なる塞ぎ板５が設けられる。塞ぎ板５におけるスチフナ４に対応する部分は、そのスチフナ４の厚さ方向両側面のうち梁２同士の交差部分に近い側面側に差し込まれた状態で同スチフナ４に固定される。そして、柱梁接合部３における塞ぎ板５によって囲まれた部分には、柱の鉄筋６が通されるとともに同柱のコンクリートが流し込まれる。【選択図】図２
2020056244.tif 000002
【特許請求の範囲】
【請求項１】
鉄筋コンクリート造の柱と鉄骨造の梁とを備える建物においてＨ型鋼からなる梁同士が交差するとともに前記梁同士と柱とが交差する柱梁接合部に適用され、
交差する前記梁同士で挟まれる部分であって前記柱の外側面に対応する部分には、前記梁におけるウェブの厚さ方向の側面及び前記梁における上下のフランジの厚さ方向の側面に対し固定されている塞ぎ板が設けられており、
前記柱梁接合部における前記塞ぎ板によって囲まれた部分には、前記柱の鉄筋が通されるとともに同柱のコンクリートが流し込まれる建物の柱梁接合部構造において、
前記梁における上下のフランジ間であって前記柱の外側面に対応する部分には上下方向に延びる板状のスチフナが配置されているとともに、同スチフナが前記梁のウェブ及びフランジの厚さ方向の側面に対し溶接されており、
前記塞ぎ板は、前記ウェブ側の端部が前記上下のフランジ間であって前記スチフナの厚さ方向両側面のうち前記梁同士の交差部分に近い側面側に差し込まれた状態で同スチフナに固定されており、そのスチフナを介して前記梁におけるウェブ及びフランジの厚さ方向の側面に対し固定されていることを特徴とする建物の柱梁接合部構造。
【請求項２】
前記塞ぎ板における前記スチフナの厚さ方向両側面のうち前記梁同士の交差部分に近い側面側に差し込まれた部分は、同部分の厚さ方向両側面のうち前記梁同士の交差部分から離れた側面側で前記スチフナに対し溶接されており、その溶接によって前記塞ぎ板が前記スチフナに対し固定されている請求項１に記載の建物の柱梁接合部構造。
【請求項３】
前記塞ぎ板における前記スチフナの厚さ方向両側面のうち前記梁同士の交差部分に近い側面側に差し込まれた部分は、ボルト及びナットによって前記スチフナに対し締結されており、それらボルト及びナットによって前記塞ぎ板が前記スチフナに対し固定されている請求項１に記載の建物の柱梁接合部構造。
【請求項４】
前記塞ぎ板における前記スチフナの厚さ方向両側面のうち前記梁同士の交差部分に近い側面側に差し込まれた部分は、ボルト及びナットによって前記スチフナに対し締結されるとともに、同部分の厚さ方向両側面のうち前記梁同士の交差部分から離れた側面側で前記スチフナに対し溶接されるものであり、その溶接と前記ボルト及び前記ナットとにより前記塞ぎ板が前記スチフナに対し固定されている請求項１に記載の建物の柱梁接合部構造。
【請求項５】
前記スチフナは、前記ウェブの厚さ方向の側面に対し前記フランジよりも大きく突出している請求項１〜４のいずれか一項に記載の建物の柱梁接合部構造。
【請求項６】
前記塞ぎ板における前記スチフナの厚さ方向両側面のうち前記梁同士の交差部分に近い側面側に差し込まれた部分は、前記ウェブの厚さ方向の側面側の端部に、前記スチフナから離れるように曲がっている曲げ部を有している請求項１〜５のいずれか一項に記載の建物の柱梁接合部構造。
【発明の詳細な説明】
【技術分野】
【０００１】
本発明は、建物の柱梁接合部構造に関する。
【背景技術】
【０００２】
非特許文献１に示されるように、鉄筋コンクリート造の柱と鉄骨造の梁とを備える建物、すなわち柱ＲＣ梁Ｓ構法で建てられた建物においては、梁同士が交差するとともに上記梁同士と柱とが交差する柱梁接合部が存在している。
【０００３】
図１２に示すように、柱梁接合部３１で互いに交差する梁３２としては、Ｈ型鋼が用いられる。この梁３２は、上下方向に立った状態となる板状のウェブ３２ａと、そのウェブ３２ａの上下両端から水平方向に突出するフランジ３２ｂと、を有している。そして、交差する梁３２同士で挟まれる部分であって柱の外側面に対応する部分には、梁３２におけるウェブ３２ａ及びフランジ３２ｂの厚さ方向の側面に対し溶接されている塞ぎ板３３が設けられている。そして、柱梁接合部３１における塞ぎ板３３によって囲まれた部分には、柱の鉄筋が通されるとともに同柱のコンクリートが流し込まれる。
【０００４】
図１３は、塞ぎ板３３と梁３２との溶接部分の平断面を示している。図１３から分かるように、塞ぎ板３３のウェブ３２ａ側の端部（図１３では左端部）は、その厚さ方向の両側（図１３の上下両側）でウェブ３２ａ及びフランジ３２ｂに対し溶接されている。そして、そうした溶接によって塞ぎ板３３が梁３２に対し固定されている。
【０００５】
柱ＲＣ梁Ｓ構法では、鉄筋コンクリート造の柱を形成した後、その柱の上端部に梁同士の交差部分（柱梁接合部）を配置する。更に、柱梁接合部における塞ぎ板に囲まれた部分には、その柱梁接合部よりも上段の柱を形成するための鉄筋が通されるとともに、同柱を形成するためのコンクリートが流し込まれる。このコンクリート及び上記鉄筋により、上記柱梁接合部よりも上段の柱が形成される。建物の柱ＲＣ梁Ｓ構法では、このように柱と梁とが上段に向けて段階的に形成される。そして、柱ＲＣ梁Ｓ構法で建てられた建物の柱梁接合部では、塞ぎ板が剪断抵抗となるとともに、同塞ぎ板によって柱梁接合部内のコンクリートの拘束が行われる。
【先行技術文献】
【非特許文献】
【０００６】
【非特許文献１】鉄筋コンクリート柱・鉄骨梁混合構造の設計と施工  ２００１年１月１０日  日本建築学会
【発明の概要】
【発明が解決しようとする課題】
【０００７】
上述した建物の柱梁接合部構造では、図１２及び図１３に示す塞ぎ板３３におけるウェブ３２ａ側の端部を梁３２に対し固定する際、塞ぎ板３３の上記端部における厚さ方向の両側（図１３の上下両側）をウェブ３２ａ及びフランジ３２ｂに対し溶接しなければならない。しかし、塞ぎ板３３の上記端部における厚さ方向両側面のうち梁３２同士の交差部分に近い側面側（図１３の上側）のウェブ３２ａ及びフランジ３２ｂに対する溶接については、交差する梁３２同士及び塞ぎ板３３で囲まれた狭い部分の内側から、塞ぎ板３３の上記端部とウェブ３２ａ及びフランジ３２ｂとの境界部分に対して実施しなければならない。従って、上記溶接を行う作業者が、交差する梁３２同士及び塞ぎ板３３で囲まれた部分であってウェブ３２ａ及びフランジ３２ｂの厚さ方向の側面付近といった狭い部分に溶接のために手を入れにくくなることは否めず、それに起因して塞ぎ板３３を梁３２に固定するための作業が困難となっていた。
【０００８】
本発明の目的は、塞ぎ板を梁に固定するための作業が困難となることを抑制できる建物の柱梁接合部構造を提供することにある。
【課題を解決するための手段】
【０００９】
以下、上記課題を解決するための手段及びその作用効果について記載する。
上記課題を解決する建物の柱梁接合部構造は、鉄筋コンクリート造の柱と鉄骨造の梁とを備える建物においてＨ型鋼からなる梁同士が交差するとともに梁同士と柱とが交差する柱梁接合部に適用される。交差する梁同士で挟まれる部分であって柱の外側面に対応する部分には、上記梁におけるウェブの厚さ方向の側面及び前記梁における上下のフランジの厚さ方向の側面に対し固定されている塞ぎ板が設けられる。そして、柱梁接合部における塞ぎ板によって囲まれた部分には、柱の鉄筋が通されるとともに同柱のコンクリートが流し込まれる。上記梁における上下のフランジ間であって柱の外側面に対応する部分には上下方向に延びる板状のスチフナが配置されているとともに、同スチフナが前記梁のウェブ及びフランジの厚さ方向の側面に対し溶接される。また、上記塞ぎ板は、ウェブ側の端部が上記上下のフランジ間であって上記スチフナの厚さ方向両側面のうち梁同士の交差部分に近い側面側に差し込まれた状態で同スチフナに固定されており、そのスチフナを介して上記梁におけるウェブ及びフランジの厚さ方向の側面に対し固定される。
【００１０】
上記構成によれば、塞ぎ板を梁におけるウェブ及びフランジの厚さ方向の側面に対し固定する際には、まず梁におけるウェブ及びフランジの厚さ方向の側面に対しスチフナが溶接される。詳しくは、スチフナがウェブ及びフランジの厚さ方向の側面に対し、スチフナの厚さ方向両側のうち梁同士の交差部分に近い側と同交差部分から離れた側との両方で溶接される。スチフナにおける厚さ方向両側のうちの梁同士の交差部分に近い側での上記ウェブ及びフランジに対する溶接については、交差する梁同士によって挟まれる部分に塞ぎ板が存在していない状態で行われるため、その塞ぎ板によって上記溶接が行いにくくなることはない。その後、塞ぎ板におけるウェブ側の端部が上下のフランジ間であって上記スチフナの厚さ方向両側面のうち梁同士の交差部分に近い側面側に差し込まれ、その状態で塞ぎ板がスチフナに対し固定される。こうした塞ぎ板の固定は、スチフナに対し行われることから、梁におけるウェブの厚さ方向の側面から離れた位置で行われるようになり、ウェブの厚さ方向の側面付近という狭い場所で行わなくてもよくなる。従って、上記固定のための作業を狭い場所で行わなくてもよい分、その作業が行いにくくなることを抑制できる。そして、塞ぎ板がスチフナに固定されることにより、同塞ぎ板がスチフナを介して梁におけるウェブ及びフランジの厚さ方向の側面に対し固定されるようになる。
【００１１】
上記建物の柱梁接合部構造において、塞ぎ板におけるスチフナの厚さ方向両側面のうち梁同士の交差部分に近い側面側に差し込まれた部分は、同部分の厚さ方向両側面のうち梁同士の交差部分から離れた側面側でスチフナに対し溶接されており、その溶接によって上記塞ぎ板が上記スチフナに対し固定されているものとすることが考えられる。
【００１２】
この構成によれば、梁におけるウェブ及びフランジの厚さ方向の側面に溶接されたスチフナに対する塞ぎ板の固定が、塞ぎ板におけるスチフナの厚さ方向両側面のうち梁同士の交差部分に近い側面側に差し込まれた部分の同スチフナに対する溶接によって行われる。この溶接はスチフナの厚さ方向両側面のうち梁同士の交差部分から離れた側面側から行われるため、同溶接のための作業を梁同士及び塞ぎ板によって囲まれた部分の内側といった狭い場所で行わなくてもよくなる。従って、上記溶接のための作業を狭い場所で行わなくてもよい分、その作業が行いにくくなることを抑制できる。また、柱梁接合部における塞ぎ板によって囲まれた部分にコンクリートが流し込まれると、同コンクリートが塞ぎ板を梁同士の交差部分から離れる方向に押すため、それによって塞ぎ板における梁側の端部がスチフナに対し押し付けられる。従って、塞ぎ板におけるスチフナの厚さ方向両側面のうち梁同士の交差部分に近い側面側に差し込まれた部分が、そのスチフナの厚さ方向両側面のうち梁同士の交差部分に近い側面側で同スチフナに対し溶接されていないとしても、上記側面側でのスチフナと塞ぎ板との固定が弱くなることはない。
【００１３】
上記建物の柱梁接合部構造において、塞ぎ板におけるスチフナの厚さ方向両側面のうち梁同士の交差部分に近い側面側に差し込まれた部分は、ボルト及びナットによってスチフナに対し締結されており、それらボルト及びナットによって上記塞ぎ板が上記スチフナに対し固定されているものとすることが考えられる。
【００１４】
この構成によれば、梁におけるウェブ及びフランジの厚さ方向の側面に溶接されたスチフナに対する塞ぎ板の固定が、塞ぎ板におけるスチフナの厚さ方向両側面のうち梁同士の交差部分に近い側面側に差し込まれた部分と同スチフナとのボルト及びナットによる締結を通じて行われる。このボルト及びナットによる締結は、梁におけるウェブの厚さ方向の側面から離れた位置で行われるようになり、ウェブの厚さ方向の側面付近といった狭い場所で行わなくてもよくなる。従って、上記ボルト及び上記ナットによる締結のための作業を狭い場所で行わなくてもよい分、その作業が行いにくくなることを抑制できる。
【００１５】
上記建物の柱梁接合部構造において、塞ぎ板におけるスチフナの厚さ方向両側面のうち梁同士の交差部分に近い側面側に差し込まれた部分は、ボルト及びナットによってスチフナに対し締結されるとともに、同部分の厚さ方向両側面のうち梁同士の交差部分から離れた側面側でスチフナに対し溶接されるものであり、その溶接とボルト及びナットとにより上記塞ぎ板が上記スチフナに対し固定されているものとすることが考えられる。
【００１６】
この構成によれば、次のようにスチフナに対する塞ぎ板の固定を行うことができる。すなわち、塞ぎ板におけるスチフナの厚さ方向両側面のうち梁同士の交差部分に近い側面側に差し込まれた部分と同スチフナとをボルト及びナットによって締結し、その状態のもとで上記部分の厚さ方向両側面のうち梁同士の交差部分から離れた側面側でのスチフナに対する溶接を行う。このように、スチフナと塞ぎ板とがボルト及びナットによって締結された状態のもとで上記溶接が行われることにより、その溶接の際にスチフナと塞ぎ板との位置ずれ等が生じることを抑制でき、上記溶接を行いやすくすることができる。また、柱梁接合部における塞ぎ板によって囲まれた部分にコンクリートが流し込まれるとき、同コンクリートにより塞ぎ板が梁同士の交差部分から離れる方向に押されることにより、同塞ぎ板におけるスチフナの厚さ方向両側面のうち梁同士の交差部分に近い側面側に差し込まれた部分が、スチフナから離れる方向に向けて、上記溶接された部分を中心に回動しようとする。こうしたことを上記ボルト及びナットによって抑制することができる。
【００１７】
上記建物の柱梁接合部構造において、上記スチフナは、ウェブの厚さ方向の側面に対しフランジよりも大きく突出しているものとすることが考えられる。
この構成によれば、スチフナにおいて、ウェブの厚さ方向の側面に対し上下のフランジよりも大きく突出している部分に対し、塞ぎ板を上下にスライド移動させることにより、同塞ぎ板のウェブ側の端部を上記スチフナの厚さ方向両側面のうち梁同士の交差部分に近い側面側に差し込むことが可能になる。このため、塞ぎ板におけるスチフナに対応する部分を、同スチフナの厚さ方向両側面のうち梁同士の交差部分に近い側面側に簡単に差し込むことができるようになる。
【００１８】
上記建物の柱梁接合部構造において、塞ぎ板におけるスチフナの厚さ方向両側面のうち梁同士の交差部分に近い側面側に差し込まれた部分は、ウェブの厚さ方向の側面側の端部に、スチフナから離れるように曲がっている曲げ部を有しているものとすることが考えられる。
【００１９】
この構成によれば、柱梁接合部における塞ぎ板によって囲まれた部分にコンクリートが流し込まれるとき、同コンクリートにより塞ぎ板が梁同士の交差部分から離れる方向に押されることにより、同塞ぎ板におけるスチフナの厚さ方向両側面のうち梁同士の交差部分に近い側面側に差し込まれた部分が、同スチフナの先端部から外れる方向に変位しようとする。しかし、そうした変位については、流し込まれたコンクリートによって埋められる上記曲げ部が上記変位の抵抗となることによって抑制される。
【発明の効果】
【００２０】
本発明によれば、塞ぎ板を梁に固定するための作業が困難となることを抑制できる。
【図面の簡単な説明】
【００２１】
【図１】建物の柱梁接合部を示す斜視図。
【図２】同柱梁接合部を示す斜視図。
【図３】同柱梁接合部における梁同士の交差部分を示す斜視図。
【図４】梁のウェブ及びフランジに対し溶接されたスチフナ、並びに、塞ぎ板におけるスチフナに連なる部分を示す平断面図。
【図５】梁に対する塞ぎ板の組み付け態様を示す斜視図。
【図６】梁に対する塞ぎ板の組み付け態様を示す斜視図。
【図７】スチフナに対する塞ぎ板の固定態様を示す斜視図。
【図８】梁のウェブ及びフランジに対し溶接されたスチフナ、並びに、塞ぎ板におけるスチフナに連なる部分を示す平断面図。
【図９】梁に対する塞ぎ板の組み付け態様を示す斜視図。
【図１０】塞ぎ板の他の例を示す断面図。
【図１１】スチフナに対する塞ぎ板の固定態様の他の例を示す斜視図。
【図１２】建物の柱梁接合部における梁同士の交差部分の従来例を示す斜視図。
【図１３】塞ぎ板と梁との固定態様の従来例を示す平断面図。
【発明を実施するための形態】
【００２２】
［第１実施形態］
以下、柱ＲＣ梁Ｓ構法で建てられた建物の柱梁接合部構造の第１実施形態について、図１〜図６を参照して説明する。
【００２３】
図１及び図２に示すように、柱ＲＣ梁Ｓ構法で建てられた建物は、鉄筋コンクリート造の柱１と鉄骨造の梁２とを備えている。こうした建物においては、梁２同士が交差するとともに上記梁２同士と柱１とが交差する柱梁接合部３が存在している。上記梁２は、Ｈ型鋼であって、上下方向に立った状態となる板状のウェブ２ａと、そのウェブ２ａの上下両端から水平方向に突出するフランジ２ｂと、を有している。
【００２４】
図３は、図１及び図２に示される柱梁接合部３において、交差する梁２同士を示している。梁２における上下のフランジ２ｂ間であって柱１（図１、図２）の外側面に対応する部分には、上下方向に延びる板状のスチフナ４が配置されている。このスチフナ４は、梁２におけるウェブ２ａ及びフランジ２ｂの厚さ方向の側面と直交しており、且つ、それら側面に対し溶接されている。また、スチフナ４における梁２のウェブ２ａの厚さ方向の側面からの突出量は、梁２における上下のフランジ２ｂの上記側面からの突出量と等しくされている。
【００２５】
柱梁接合部３において、交差する梁２同士で挟まれる部分であって、柱１の外側面に対応する部分にはそれぞれ、スチフナ４に連なるＬ字状に屈曲された塞ぎ板５が設けられている。この塞ぎ板５における梁２のウェブ２ａ側の端部は、スチフナ４の厚さ方向両側面のうち梁２同士の交差部分に近い側面側に差し込まれた状態で、上記スチフナ４に固定されている。そして、塞ぎ板５におけるスチフナ４の厚さ方向両側面のうち梁２同士の交差部分に近い側面側に差し込まれた部分は、ウェブ２ａ側の端部が梁２における上下のフランジ２ｂ間に位置している。
【００２６】
図４は、梁２におけるウェブ２ａ及びフランジ２ｂの厚さ方向の側面に対し溶接されたスチフナ４、及び、塞ぎ板５における上記スチフナ４に連なる部分の平断面を示している。図４から分かるように、スチフナ４は、その厚さ方向の両側（図４の上下両側）でウェブ２ａ及びフランジ２ｂの厚さ方向の側面に対し溶接されている。そうした溶接によってスチフナ４が梁２におけるウェブ２ａ及びフランジ２ｂの厚さ方向の側面に対し固定されている。なお、上述したように溶接された部分Ｒ２，Ｒ３は、スチフナ４とウェブ２ａ及びフランジ２ｂとの境界部分に沿って延びている。
【００２７】
また、塞ぎ板５におけるスチフナ４の厚さ方向両側面のうち梁２同士の交差部分に近い側面側（図４では上側）に差し込まれた部分は、同部分の厚さ方向両側面のうち梁２同士の交差部分から離れた側（図４の下側）で、スチフナ４に対し溶接されている。なお、塞ぎ板５におけるスチフナ４に対し溶接された部分Ｒ１は、同スチフナ４に沿って上下方向（図４の紙面と直交する方向）に延びている。そして、上記溶接によって塞ぎ板５がスチフナ４に対し固定されている。更に、塞ぎ板５がスチフナ４に固定されることにより、同塞ぎ板５がスチフナ４を介して梁２のウェブ２ａ及びフランジ２ｂに対し固定されている。
【００２８】
なお、上述した溶接としては例えば隅肉溶接とすることが考えられるが、部分溶け込み溶接や完全溶け込み溶接といった他の溶接とすることも可能である。
建物の柱ＲＣ梁Ｓ構法では、鉄筋コンクリート造の柱１（図２等）を形成した後、その柱１の上端部に図３に示す梁２同士の交差部分を配置する。更に、図２に示すように、梁２同士の交差部分（柱梁接合部３）における塞ぎ板５に囲まれた部分には、柱梁接合部３よりも上段の柱１を形成するための鉄筋６が通されるとともに、図１に示されるように同柱１を形成するためのコンクリート１１が流し込まれる。このコンクリート１１及び上記鉄筋６により、上記柱梁接合部３の上側に同柱梁接合部３よりも上段の柱１が形成される。建物の柱ＲＣ梁Ｓ構法では、このように柱１と梁２とが上段に向けて段階的に形成される。そして、柱ＲＣ梁Ｓ構法で建てられた建物の柱梁接合部３では、塞ぎ板５が剪断抵抗となるとともに、同塞ぎ板５によって柱梁接合部３内のコンクリート１１の拘束が行われる。
【００２９】
次に、本実施形態における建物の柱梁接合部構造の作用について説明する。
塞ぎ板５を梁２におけるウェブ２ａ及びフランジ２ｂの厚さ方向の側面に対し固定する際には、まずウェブ２ａ及びフランジ２ｂの厚さ方向の側面に対し図４に示すようにスチフナ４が溶接される。詳しくは、スチフナ４におけるウェブ２ａ側の端部が、ウェブ２ａ及びフランジ２ｂの厚さ方向の側面に対し、スチフナ４の厚さ方向両側（図４の上下両側）で溶接される。スチフナ４の上記端部における厚さ方向両側のうち梁２同士の交差部分に近い側（図４の上側）のウェブ２ａ及びフランジ２ｂの厚さ方向の側面に対する溶接については、交差する梁２同士によって挟まれる部分（図３参照）に塞ぎ板５が存在していない状態で行われるため、その塞ぎ板５によって上記溶接が行いにくくなることはない。その後、塞ぎ板５におけるウェブ２ａ側の端部（図４では左端部）が、上記スチフナ４の厚さ方向両側面のうち梁２同士の交差部分に近い側面側（図４の上側）に差し込まれる。
【００３０】
詳しくは、図５に示すように、Ｌ字状の塞ぎ板５を弾性によって元に戻り得る程度に鋭角に折り曲げる。そして、交差する梁２同士によって挟まれる部分であってスチフナ４よりも梁２同士の交差部分に近い側に、上述したように折り曲げた塞ぎ板５を挿入した後、その塞ぎ板５が弾性によって元の状態に戻されると、塞ぎ板５におけるスチフナ４に対応する部分が同スチフナ４に対し接触する。これにより、図６に示されるように、塞ぎ板５の同スチフナ４に対応する部分が、スチフナ４の厚さ方向両側面のうち梁２同士の交差部分に近い側面側に差し込まれた状態となる。更に、このときには、塞ぎ板５におけるスチフナ４に対応する部分、すなわち梁２のウェブ２ａ側の端部が、その梁２における上下のフランジ２ｂ間に位置する。
【００３１】
塞ぎ板５におけるスチフナ４に対応する部分は、スチフナ４の厚さ方向両側面のうち梁２同士の交差部分に近い側面側に差し込まれる。このときには、塞ぎ板５におけるスチフナ４に対応する部分（ウェブ２ａ側の端部）が、梁２における上下のフランジ２ｂ間に位置することにより、塞ぎ板５がスチフナ４に対し上下方向について位置決めされる。この状態のもと、塞ぎ板５におけるウェブ２ａ側の端部が、図４にＲ１で示すように厚さ方向両側のうち梁２同士の交差部分から離れた側（図４の下側）で、スチフナ４に対し溶接される。この溶接は、スチフナ４に対し行われることからウェブ２ａの厚さ方向の側面から離れた位置で行われる。更に、上記溶接は、スチフナ４の厚さ方向両側のうち梁２同士の交差部分から離れた側（図４の下側）から行われる。これらのことから、上記溶接のための作業を、ウェブ２ａの厚さ方向の側面付近や、梁２同士及び塞ぎ板５によって囲まれた部分の内側といった狭い場所で行わなくてもよくなる。従って、上記溶接のための作業を狭い場所で行わなくてもよい分、その作業が行いにくくなることを抑制できる。
【００３２】
その後、梁２同士の交差部分（柱梁接合部３）が、図２に示すように柱１の上端部に配置される。そして、柱梁接合部３における塞ぎ板５に囲まれた部分には柱梁接合部３よりも上段の柱１を形成するための鉄筋６が通されるとともに、図１に示すように同柱１を形成するためのコンクリート１１が流し込まれる。このように流し込まれたコンクリートは塞ぎ板５を梁２同士の交差部分から離れる方向に押すため、それによって図４に示す塞ぎ板５におけるウェブ２ａ側の端部がスチフナ４に対し押し付けられる。従って、塞ぎ板５におけるスチフナ４の厚さ方向両側面のうち梁２同士の交差部分に近い側面側（図４の上側）に差し込まれた部分が、そのスチフナ４の厚さ方向両側面のうち梁２同士の交差部分に近い側面側で同スチフナ４に対し溶接されていないとしても、上記側面側でのスチフナ４と塞ぎ板５との固定が弱くなることはない。
【００３３】
以上詳述した本実施形態によれば、以下に示す効果が得られるようになる。
（１）スチフナ４をウェブ２ａ及びフランジ２ｂの厚さ方向の側面に対し、スチフナ４の厚さ方向両側面のうち梁２同士の交差部分に近い側面側で溶接する際、その溶接が梁２同士によって挟まれる部分に塞ぎ板５が存在していない状態で行われる。従って、その塞ぎ板５によって上記溶接が行いにくくなることはない。また、ウェブ２ａ及びフランジ２ｂに溶接されたスチフナ４の厚さ方向両側面のうち梁２同士の交差部分に近い側面側に、塞ぎ板５におけるウェブ２ａ側の端部が差し込まれた状態のもと、その端部がスチフナ４に対し溶接によって固定される。このときの固定については、スチフナ４に対し行われることからウェブ２ａの厚さ方向の側面から離れた位置で行われるようになり、そのウェブ２ａの厚さ方向の側面付近といった狭い場所で行わなくてもよくなる。従って、上記固定を狭い場所で行わなくてもよい分、その固定のための作業が行いにくくなることを抑制できる。これらのことから、塞ぎ板５を梁２に対し固定するための作業、詳しくはスチフナ４を介して塞ぎ板５を梁２のウェブ２ａ及びフランジ２ｂに固定するための作業が困難となることを抑制できる。
【００３４】
（２）スチフナ４に対する塞ぎ板５の上記溶接は、塞ぎ板５におけるウェブ２ａ側の端部がスチフナ４の厚さ方向両側面のうち梁２同士の交差部分に近い側面側に差し込まれた状態のもと、その差し込まれた部分の厚さ方向両側面のうち梁２同士の交差部分から離れた側面側でスチフナ４に対し行われる。このように上記溶接が上記側面側から行われるため、その溶接のための作業を梁２同士及び塞ぎ板５で囲まれた部分の内側といった狭い場所で行わなくてもよくなる。従って、上記溶接のための作業を狭い場所で行わなくてもよい分、その作業が行いにくくなることを抑制できる。
【００３５】
（３）また、スチフナ４に対する塞ぎ板５の上記溶接は、塞ぎ板５における梁２のウェブ２ａ側の端部が同梁２における上下のフランジ２ｂ間に位置してスチフナ４に対し塞ぎ板５が上下方向について位置決めされた状態のもとで行われる。このため、上記溶接の際、スチフナ４と塞ぎ板５との上下方向についての位置ずれが生じることを抑制でき、その溶接を行いやすくすることができる。
【００３６】
［第２実施形態］
次に、本実施形態の第２実施形態について、図７〜図９を参照して説明する。
図７に示すように、本実施形態の柱梁接合部３においては、梁２のウェブ２ａ及びフランジ２ｂに溶接されたスチフナ４が、同ウェブ２ａの厚さ方向の側面に対し梁２における上下のフランジ２ｂよりも大きく突出している。そして、塞ぎ板５におけるスチフナ４に対応する部分（ウェブ２ａ側の端部）は、同スチフナ４におけるウェブ２ａからフランジ２ｂよりも突出した部分の厚さ方向両側面のうち梁２同士の交差部分に近い側面側に差し込まれており、上記部分に対し複数のボルト７及びナット８により締結されている。
【００３７】
図８に示すように、スチフナ４と塞ぎ板５との厚さ方向に重なる部分にはそれぞれ、ボルト７を通すための孔９，１０が形成されている。また、塞ぎ板５におけるウェブ２ａ側の端部は、スチフナ４の厚さ方向両側面のうち梁２同士の交差部分に近い側面側（図８の上側）に差し込まれた状態のもと、同部分の厚さ方向両側面のうち梁２同士の交差部分から離れた側面側（図８の下側）でスチフナ４に対し溶接されている。そして、この溶接と上記ボルト７及びナット８とにより、塞ぎ板５がスチフナ４に対し固定されている。更に、塞ぎ板５がスチフナ４に固定されることにより、同塞ぎ板５がスチフナ４を介して梁２のウェブ２ａ及びフランジ２ｂに対し固定されている。
【００３８】
図９に示すように、梁２同士の交差部分（柱梁接合部３）において、スチフナ４に対し塞ぎ板５を固定する際には、交差する梁２同士によって挟まれる部分であってスチフナ４よりも梁２同士の交差部分に近い側に対し、Ｌ字状の塞ぎ板５が上方から下方にスライド移動される。これにより、塞ぎ板５におけるスチフナ４に対応する部分が、同スチフナ４における梁２のフランジ２ｂよりも突出した部分の厚さ方向両側面のうち梁２同士の交差部分に近い側面側に接触する。このときには、塞ぎ板５の同スチフナ４に対応する部分（ウェブ２ａ側の端部）が、スチフナ４の厚さ方向両側面のうち梁２同士の交差部分に近い側面側に差し込まれた状態となる。更に、このときにはスチフナ４の孔９と塞ぎ板５の孔１０とが対応して位置するよう、スチフナ４に対する塞ぎ板５の位置合わせも行われる。
【００３９】
そして、連通する孔９，１０に対しボルト７が挿通され、そのボルト７とナット８とによりスチフナ４と塞ぎ板５とが締結される。更に、塞ぎ板５におけるウェブ２ａ側の端部は、スチフナ４の厚さ方向両側面のうち梁２同士の交差部分に近い側面側に差し込まれた状態のもと、図８にＲ１で示すように上記差し込まれた部分の厚さ方向両側面のうち梁２同士の交差部分から離れた側面側（図８の下側）でスチフナ４に対し溶接される。上述したように、スチフナ４と塞ぎ板５とをボルト７及びナット８で締結することにより、且つ、スチフナ４と塞ぎ板５とが溶接されることにより、スチフナ４に対し塞ぎ板５が固定される。
【００４０】
以上詳述した本実施形態によれば、第１実施形態の（１）の効果に加え、以下に示す効果が得られるようになる。
（４）スチフナ４に対する塞ぎ板５の固定は、同塞ぎ板５におけるスチフナ４の厚さ方向両側面のうち梁２同士の交差部分に近い側面側に差し込まれた部分と同スチフナ４とのボルト７及びナット８による締結、且つ、上記部分のスチフナ４に対する溶接によって行われる。従って、塞ぎ板５をスチフナ４に対し固定するために必要とされるボルト７及びナット８の数を少なく抑えることができる。
【００４１】
（５）上記ボルト７及び上記ナット８によるスチフナ４と塞ぎ板５との締結は、梁２におけるウェブ２ａの厚さ方向の側面から離れた位置で行われるため、そのウェブ２ａの厚さ方向の側面付近といった狭い場所で行わなくてもよくなる。従って、上記ボルト７及び上記ナット８による締結のための作業を狭い場所で行わなくてもよい分、その作業が行いにくくなることを抑制できる。このため、塞ぎ板５を梁２に対し固定するための作業、詳しくはスチフナ４を介して塞ぎ板５を梁２のウェブ２ａに固定するための作業が困難となることを抑制できる。
【００４２】
（６）塞ぎ板５におけるスチフナ４の厚さ方向両側面のうち梁２同士の交差部分に近い側面側に差し込まれた部分と同スチフナ４とをボルト７及びナット８によって締結し、その状態のもとで上記部分の厚さ方向両側のうち梁２同士の交差部分から離れた側でのスチフナ４に対する溶接を行うことが可能となる。このように、スチフナ４と塞ぎ板５とをボルト７及びナット８で締結した状態のもとで上記溶接を行うことにより、その溶接の際にスチフナ４と塞ぎ板５との位置ずれ等が生じることを抑制できるため、上記溶接を行いやすくすることができる。
【００４３】
（７）スチフナ４は、梁２におけるウェブ２ａの厚さ方向の側面に対し上下のフランジ２ｂよりも大きく突出しているため、その突出している部分に対し塞ぎ板５を上下にスライド移動させることにより、同塞ぎ板５のウェブ２ａ側の端部を上記スチフナ４の厚さ方向両側面のうち梁２同士の交差部分に近い側面側に差し込むことが可能になる。このため、塞ぎ板５におけるスチフナ４に対応する部分を、同スチフナ４の厚さ方向両側面のうち梁２同士の交差部分に近い側面側に簡単に差し込むことができる。
【００４４】
（８）柱梁接合部３における塞ぎ板５によって囲まれた部分にコンクリート１１が流し込まれるとき、同コンクリート１１により塞ぎ板５が梁２同士の交差部分から離れる方向に押される。これにより、塞ぎ板５におけるスチフナ４の厚さ方向両側面のうち梁２同士の交差部分に近い側面側に差し込まれた部分が、スチフナ４から離れる方向に向けて、上記溶接された部分Ｒ１（図８）を中心に回動しようとする。こうしたことをスチフナ４と塞ぎ板５とを締結するボルト７及びナット８によって抑制することができる。
【００４５】
［その他の実施形態］
なお、上記各実施形態は、例えば以下のように変更することもできる。
・第１実施形態において、塞ぎ板５におけるスチフナ４の厚さ方向両側面のうち梁２同士の交差部分に近い側面側に差し込まれた部分は、図１０に示すように梁２におけるウェブ２ａの厚さ方向の側面側の端部にスチフナ４から離れるように曲がっている曲げ部５ａを有するものであってもよい。
【００４６】
この場合、柱梁接合部３における塞ぎ板５によって囲まれた部分にコンクリート１１が流し込まれるとき、同コンクリート１１により塞ぎ板５が梁２同士の交差部分から離れる方向に押される。これにより、塞ぎ板５におけるスチフナ４の厚さ方向両側面のうち梁２同士の交差部分に近い側面側に差し込まれた部分が、同スチフナ４の先端部から外れる方向に変位しようとする。しかし、そうした変位については、流し込まれたコンクリート１１によって埋められる上記曲げ部５ａが上記変位の抵抗となることによって抑制される。
【００４７】
なお、図１０に示す曲げ部５ａは、塞ぎ板５におけるスチフナ４と厚さ方向に重なる部分に対し１８０°曲げられているが、９０°や１３５°といった１８０°以外の角度で曲げられているものであってもよい。
【００４８】
・第１実施形態において、スチフナ４と塞ぎ板５との固定を溶接によって行うだけでなく、それに加えて第２実施形態のようにボルト及びナットによる締結によっても行うようにしてもよい。
【００４９】
・第１実施形態において、スチフナ４に対する塞ぎ板５の溶接を行わず、スチフナ４と塞ぎ板５とをボルト及びナットで締結することにより同スチフナ４に対し塞ぎ板５を固定してもよい。この場合、塞ぎ板５のウェブ２ａ側の端部とスチフナ４における上記端部を厚さ方向両側面のうち梁２同士の交差部分に近い側面側に差し込んだ部分とをボルト及びナットで締結することにより、それらボルト及びナットのみでスチフナ４と塞ぎ板５とを固定することができる。
【００５０】
・第２実施形態において、スチフナ４に対する塞ぎ板５の溶接を必ずしも行う必要はない。この場合、塞ぎ板５のウェブ２ａ側の端部とスチフナ４における上記端部を厚さ方向両側面のうち梁２同士の交差部分に近い側面側に差し込んだ部分とをボルト７及びナット８で締結することにより、それらボルト７及びナット８のみでスチフナ４と塞ぎ板５とを固定することができる。
【００５１】
・第２実施形態において、図１１に示すように、塞ぎ板５を上記溶接のみによってスチフナ４に対し固定するようにしてもよい。この場合、ボルト７及びナット８による締結を行わなくてもよい分、スチフナ４に塞ぎ板５を固定するための作業にかかる手間をより少なくすることができる。
【００５２】
・第１及び第２実施形態において、スチフナ４における梁２同士の交差部分とは反対側の面、すなわち塞ぎ板５が差し込まれる側とは反対側の面と、梁２におけるウェブ２ａの厚さ方向の側面とに亘るよう支持板を溶接してもよい。この場合、柱梁接合部３における塞ぎ板５に囲まれた部分に流し込まれたコンクリート１１により、塞ぎ板５及びスチフナ４が梁２同士の交差部分から離れる方向に押されたとき、それに伴ってスチフナ４が変形することを上記支持板によって抑制することができる。
【符号の説明】
【００５３】
１…柱、２…梁、２ａ…ウェブ、２ｂ…フランジ、３…柱梁接合部、４…スチフナ、５…塞ぎ板、５ａ…曲げ部、６…鉄筋、７…ボルト、８…ナット、９…孔、１０…孔、１１…コンクリート。
【図１】
2020056244.tif 000003
【図２】
2020056244.tif 000004
【図３】
2020056244.tif 000005
【図４】
2020056244.tif 000006
【図５】
2020056244.tif 000007
【図６】
2020056244.tif 000008
【図７】
2020056244.tif 000009
【図８】
2020056244.tif 000010
【図９】
2020056244.tif 000011
【図１０】
2020056244.tif 000012
【図１１】
2020056244.tif 000013
【図１２】
2020056244.tif 000014
【図１３】
2020056244.tif 000015